(57)【要約】【課題】利用者の上半身を確実に高く保持することができるベッド装置を提供することにある。【解決手段】矩形枠状のベッド本体と、ベッド本体の内面に設けられた受け部材と、受け部材に係合載置される床ユニット１１を具備し、床ユニットは、受け部材に両側部を係合させてベッド本体に着脱可能に設けられるフレーム部材１２と、長手方向の一端部をフレーム部材の長手方向の一端部に回動可能に連結して設けられる床部材２１と、床部材の長手方向の他端部とフレーム部材の長手方向の他端部との間に設けられ床部材をほぼ水平に保持した状態から一端部を支点として他端部側を上昇する起上方向に回動させたとき、前記床部材を所定の起上角度で倒伏不能に保持する保持手段３１を具備する。【選択図】      図７
2018198864.tif 000002
【特許請求の範囲】
【請求項１】
矩形枠状のベッド本体と、
このベッド本体の内面に設けられた受け部材と、
この受け部材に係合載置される床ユニットを具備し、
前記床ユニットは、
前記受け部材に両側部を係合させて前記ベッド本体に着脱可能に設けられるフレーム部材と、
長手方向の一端部を前記フレーム部材の長手方向の一端部に回動可能に連結して設けられる床部材と、
この床部材の長手方向の他端部と前記フレーム部材の長手方向の他端部との間に設けられ前記床部材をほぼ水平に保持した状態から一端部を支点として他端部側を上昇する起上方向に回動させたとき、前記床部材を所定の起上角度で倒伏不能に保持する保持手段と
を具備したことを特徴とするベッド装置。
【請求項２】
前記保持手段は、前記床部材を複数の起上角度で保持可能な構成であることを特徴とする請求項１記載のベッド装置。
【請求項３】
前記床部材の長手方向の他端部には、この床部材を倒伏状態から起上方向に引き上げる手掛け部が設けられていることを特徴とする請求項１記載のベッド装置。
【発明の詳細な説明】
【技術分野】
【０００１】
この発明はベッド本体の上面にマットレスが載置されるベッド装置に関する。
【背景技術】
【０００２】
一般に、家庭で用いられている通常のベッド装置はベッド本体を有する。このベッド本体は矩形枠状に形成されていて、その両側内面には受け部材が設けられている。これらの受け部材には床部材が幅方向の両端部を係合させて支持され、この床部材の上面にはマットレスが載置される。そして、就寝時などには前記マットレス上に利用者が仰臥することになる。
【０００３】
ところで、利用者がたとえば逆流性食道炎などの場合、胃酸が食道に逆流するのを防止するため、就寝時には上半身を高くして前記マットレス上に仰臥するということが行われる。
【０００４】
上述した家庭用のベッド装置で利用者が就寝時に上半身を高くするためには、通常、上半身の背面とマットレスとの間にクッションなどを挟み込むということが行われている。しかしながら、背面にクッションを挟み込んで上半身を高く維持するようにした場合、寝返りを打つなどのことによって前記クッションがずれ動くなどしてしまうことがあるため、安定性が悪く、使用しにくいということがある。
【０００５】
利用者の上半身を安定した状態で確実に高く傾斜させて支持するには、病院などで用いられている背上げ機能が設けられた医療用のベッド装置が好適する。
【先行技術文献】
【特許文献】
【０００６】
【特許文献１】実願２００７−００７９５４号
【特許文献２】特願２００４−３２６６８０号
【発明の概要】
【発明が解決しようとする課題】
【０００７】
しかしながら、背上げ機能が設けられたベッド装置は高価であるばかりか、高重量化するため、一般家庭では設置しにくいということがある。さらに、医療用のベッド装置を用いるようにした場合、それまで使用していた家庭用のベッド装置が利用できなくなるという無駄が生じる。
【０００８】
この発明は、家庭で通常用いられているベッド装置を利用して仰臥する利用者の上半身を確実に高くなるよう支持できるようにしたベッド装置を提供することにある。
【課題を解決するための手段】
【０００９】
この発明は、矩形枠状のベッド本体と、
このベッド本体の内面に設けられた受け部材と、
この受け部材に係合載置される床ユニットを具備し、
前記床ユニットは、
前記受け部材に両側部を係合させて前記ベッド本体に着脱可能に設けられるフレーム部材と、
長手方向の一端部を前記フレーム部材の長手方向の一端部に回動可能に連結して設けられる床部材と、
この床部材の長手方向の他端部と前記フレーム部材の長手方向の他端部との間に設けられ前記床部材をほぼ水平に保持した状態から一端部を支点として他端部側を上昇させる起上方向に回動させたとき、前記床部材を所定の起上角度で倒伏不能に保持する保持手段と
を具備したことを特徴とするベッド装置にある。
【発明の効果】
【００１０】
前記床ユニットを、一般家庭で用いられているベッド装置の前記ベッド本体に設けられた受け部材に係合させて設置する。そして、前記床ユニットの前記床部材を、一端部を支点として他端部が上昇する方向へ起上させれば、前記床部材にマットレスを介して仰臥した利用者を、上半身を高くして支持することができる。
【００１１】
そのため、通常用いられている家庭用のベッド装置を利用できるから、医療用のベッド装置を用いる場合に比べて安価に利用することができる。  
しかも、前記床部材は前記床部材上に載置されるマットレスを折り曲げることなく、一端部を支点として起上方向に上昇させることができる。そのため、通常の家庭用のベッド装置に用いられる折り曲げ不能なスプリング構造のマットレスも、ベッド本体とともに利用することができるから、経済的である。
【図面の簡単な説明】
【００１２】
【図１】この発明の一実施の形態を示すベッド装置の側面図。
【図２】同じく幅方向に沿う拡大断面図。
【図３】床部材を起上させた状態を示すマットレスが除去されたベッド装置の斜視図。
【図４】（ａ）は床ユニットの平面図、（ｂ）は同じく長手方向一端側から見た側面図。
【図５】（ａ）は床ユニットのフレーム部材の平面図、（ｂ）は同じく長手方向の一端側から見た側面図、（ｃ）は同じく幅方向の一端側から見た側面図。
【図６】（ａ）は床ユニットの床部材の平面図、（ｂ）は同じく幅方向に沿う断面図、（ｃ）は同じく長手方向に沿う断面図。
【図７】（ａ）は床部材が水平に倒伏した状態を示す床ユニットの断面図、（ｂ）は床部材が所定角度で上昇した状態を示す床ユニットの断面図。
【図８】保持手段の平面図。
【図９】保持手段の側面図。
【図１０】保持手段のスライドガイドの幅方向に沿う断面図。
【図１１】保持手段のスライドガイドの長手方向に沿う断面図。
【図１２】保持手段の連結リンクと床部材の側板との連結部分の断面図。
【発明を実施するための形態】
【００１３】
以下、この発明の実施の形態を図面を参照しながら説明する。  
図１と図２は家庭用のベッド装置を示し、このベッド装置はベッド本体１を備えている。このベッド本体１は平行に離間対向した一対の側板２、及びこれら一対の側板２の長手方向一端と他端をそれぞれ連結した一対の端板３によって矩形枠状に形成されている。前記ベッド本体１の四隅部下端には脚部材５が設けられている。
【００１４】
図２に示すように、前記ベッド本体１の一対の側板２の内面には長手方向のほぼ全長にわたって受け部材４が設けられている。一対の受け部材４には床ユニット１１が後述するように幅方向の両端部を係合させて着脱可能に支持されている。つまり、前記床ユニット１１は前記ベッド本体１の枠内に保持されている。そして、前記床ユニット１１の上面にはスプリングユニットを用いたスプリング構造のマットレス６が載置される。
【００１５】
なお、通常、前記ベッド本体１の前記受け部材４には、前記床ユニット１１に代わって平板状の床板が支持され、この床板上に前記マットレス６が載置されるようになっている。そして、利用者がたとえば逆流性食道炎などを患って、上半身を高くして就寝したい場合に、前記床板を前記ベッド本体１から取り外し、前記床ユニット１１が設けられることになる。
【００１６】
図２に示すように、前記床ユニット１１は前記ベッド本体１内に入り込む大きさの矩形枠状に形成されたフレーム部材１２を有する。図４と図５に示すように、前記フレーム部材１２は所定間隔で平行に離間対向した一対の側板１３と、これら側板１３の長手方向一端と他端とをそれぞれ連結した一対の端板１４ａ，１４ｂとによって矩形枠状に形成されている。
【００１７】
一対の前記側板１３の長手方向の一端部の内面にはそれぞれ短尺な第１の取付け板１５ａが設けられ、他端部の内面にはそれぞれ第２の取付け板１５ｂが高さ方向の上端部を連結して設けられている。そして、一対の前記第２の取付け板１５ｂの一端の下端部に一方の前記端板１４ｂの長手方向の両端が連結されている。
【００１８】
図４（ａ），（ｂ）に示すように、他方の前記端板１４ａの長手方向中央部の上端部には、後述する床部材２１の上面に載置される前記マットレス６が長手方向にずれ動くのを防止するずれ止め部材１６が前記フレーム部材１２の上方に突出するよう取付けられている。
【００１９】
前記床部材２１は、長手方向の一端が前記フレーム部材１２の長手方向の一端に回動可能に連結されて設けられる。すなわち、前記床部材２１は図（ａ），（ｂ）４と図６（ａ）、（ｂ），（ｃ）に示すように前記フレーム部材１２とほぼ同じ長さ寸法の一対の側板２２を有する。
【００２０】
図６（ｃ）に示すように、一対の前記側板２２は長手方向の一端から他端に行くにしたがって高さ寸法が小さくなるよう下辺が傾斜したテーパ状に形成されている。そして、一対の前記側板２２の長手方向の他端は端板２３によって連結されている。  
なお、前記床部材２１は前記フレーム部材１２の一対の側板１３間に入り込む幅寸法に形成されている。
【００２１】
前記一対の側板２２の内面には、前記床部材２１を構成する受け桟２４が長手方向のほぼ全長にわたって設けられている。この受け桟２４は、図７（ａ），（ｂ）に示すように高さ寸法が前記側板２２よりも小さく形成されていて、上端面には複数の板材２５が長手方向に所定間隔で、しかも両端部を前記受け桟２４の上面から外方へわずかに突出させて架設されている。
【００２２】
この実施の形態では前記受け桟２４と前記板材２５によって前記床部材２１が形成されている。そして、前記床部材２１は前記板材２５の長手方向の両端部を前記床部材２１の側板２２の上端面に係合させて前記床部材２１に保持されている。
【００２３】
上述した構成の床部材２１は、一対の前記側板２２の前記受け部材２４から突出した長手方向の一端部を、前記フレーム部材１２の前記側板１３の長手方向の一端部内面に設けられた前記第１の取付け板１５ａの長手方向の一端部に支軸２６によって回動可能に連結されている。
【００２４】
前記フレーム部材１２に長手方向の一端部が回動可能に連結された前記床部材２１は、図７（ａ）に示すように水平に倒伏させると、前記端板２３の下端面が前記フレーム部材１２の長手方向他端側の端板１４ｂの上端面に当たって水平に保持されるようになっている。
【００２５】
図４に示すように、前記床部材２１の長手方向他端に設けられた前記端板２３の長手方向中央部には、布製ベルトをループ状にした手掛け部２７が設けられている。この手掛け部２６に手を掛けて前記床部材２１を引き上げれば、前記支軸２６を支点として前記床部材２１を他端部側が上昇する方向に起上させることができる。
【００２６】
前記床部材２１と前記フレーム部材１２との間には保持手段３１が設けられている。この保持手段３１は前記床部材２１を起上させたとき、この床部材２１を所定の起上角度で保持できるようになっている。
【００２７】
前記保持手段３１は、図７乃至図９に示すように一対のスライドガイド３２を有する。このスライドガイド３２は、前記フレーム部材１２の前記側板１３の他端部に設けられた一対の第２の取付け板１５ｂの内面に、幅方向の一側面を接合させてねじ止め固定されている。
【００２８】
前記スライドガイド３２は図１０に示すように上面の幅方向の一端部に開口部３３が形成された角筒状であって、内部には幅方向の他端部に位置するスライダ３４がスライド可能に収容されている。
【００２９】
図１１に示すように、前記スライダ３４にはその上面に開放する第１の段部３５と、この第１の段部３５よりも深い第２の段部３６とが階段状に形成されている。前記開口部３３から前記スライドガイド３２の内部には連結リンク３７の一端部が挿入されている。
【００３０】
前記連結リンク３７の一端部にはスライド軸３８が軸線を前記連結リンク３７の長手方向に直交させて取付けられている。図１０と図１１に示すように前記スライド軸３８は、一端部を前記スライダ３４の第２の段部３６、或いは後述するように第１の段部３５に係合させ、他端部を前記スライドガイド３２の他側面に長手方向に沿って穿設された開口溝３９に挿通されている。
【００３１】
図９に示すように、前記開口溝３９には斜め下方に向かって所定間隔で複数、この実施の形態では３つの係合部４１が連通して形成されている。図１１に示すように、前記スライダ３４の上面のスライド方向の両端部にはそれぞれ圧縮ばね４２が設けられている。
【００３２】
前記圧縮ばね４２は前記スライドガイド３２の上辺内面に圧接している。それによって、前記スライダ３４は前記スライドガイド３２内で自重によってスライドすることがないよう前記スライドガイド３２内に弾性的に保持されている。
【００３３】
図８に示すように、一対の前記連結リンク３７の他端部は連結ステー４３によって連結されている。図７（ａ），（ｂ）及び図１２に示すように、前記連結リンク３７の他端は前記床部材２１の前記側板２２の一端部に連結軸４４によって回動可能に連結されている。
【００３４】
前記連結軸４４にはコイルばね４５が装着されている。このコイルばね４５は、一端を前記スライドガイド３２の内面に係合させ、他端を前記側板２２の内面に設けられた受け部材２４の下面に係合させている。
【００３５】
前記コイルばね４５は、前記床部材２１を前記連結リンク３７とともに倒伏方向に回動させることで圧縮方向に付勢される。それによって、前記床部材２１を水平に倒伏させた状態から、前記手掛け部２７に手を掛けて起上方向へ回動させるとき、前記コイルばね４５の復元力によって前記床部材２１の起上を軽い力で行えるようになっている。
【００３６】
前記床部材２１を水平に倒伏させたとき、前記連結リンク３７の一端に設けられた前記スライド軸３８は図７（ａ）に示すように前記スライドガイド３２の末端に位置している。このとき、前記スライド軸３８は前記スライダ３４の第１の段部３５に乗り上げ、前記開口溝３９の前記係合部４１から外れている。
【００３７】
この状態から、前記床部材２１を上昇方向に回動させると、前記スライド軸３８は前記スライダ３４の前記第１の段部３５に続く側壁内面を押圧しながら、前記スライドガイド３２の挿通溝３９をスライドする。
【００３８】
このとき、前記スライド軸３８は前記第１の段部３５にされているから、前記開口溝３９に連通して形成された前記係合部４１に係合することがない。
【００３９】
前記床部材２１を所定の角度まで上昇させた状態で、前記床部材２１を下降方向に回動させると、前記スライド軸３８が前記第１の段部３５から前記第２の段部３６に移動しながら、３つの前記係合部４１のうち、回動角度に応じた位置にある１つに係合する。それによって、前記床部材２１は所定の回動角度で上昇した傾斜状態で、倒伏不能に保持されることになる。
【００４０】
所定の起上角度で保持された前記床部材２１を倒伏させるには、前記床部材２１を保持されたた角度から上昇方向へ回動させる。それによって、前記スライド軸３８が前記係合部４１から外れて、前記スライダ３４の前記第２の段部３６から第１の段部３５に移行する。それによって、前記スライド軸３８は前記係合部４１に係合することなく、前記開口溝３９に沿って移動可能となるから、前記床部材２１を倒伏方向へ回動させることが可能となる。
【００４１】
上述した構成の前記床板ユニット１１は、前記フレーム部材１２の一対の側板１３を前記ベッド本体１の前記側板２の内面に設けられた受け部材４に係合させて、前記ベッド本体１に着脱可能に保持される。
【００４２】
このような構成のベッド装置によれば、利用者がたとえば逆流性食道炎などを患い、上半身を高くして就寝したい場合、通常の家庭で用いられているベッド装置から床板を取り外し、それに代わって上述した構成の前記床ユニット１１を前記ベッド本体１に設ける。つまり、前記ベッド本体１の前記側板２の内面に設けられた受け部材４に、前記床ユニット１１の前記側板１３を係合させて、前記床ユニット１１を前記ベッド本体１に着脱可能に設置する。
【００４３】
そして、前記床ユニット１１の前記床部材２１に設けられた手掛け部２７によって前記床部材２１を図７（ａ）に示す水平に倒伏した状態から、図７（ｂ）に示すように一端部を支点として他端部が上昇する方向に回動させることで、前記保持手段３１によって所定の起上角度で保持することができる。
【００４４】
それによって、利用者は前記床部材２１の傾斜角度に応じて、上半身を安定した保持状態で上昇させて就寝することが可能となる。
【００４５】
前記床部材２１は、前記保持手段３１の前記スライドガイド３２に形成された３つの係合部３３によって、３段階の起上昇角度で保持できる。そのため、利用者は逆流性食道炎の状態、体格或いは好みなどに応じて就寝時の上半身の上昇角度を設定することができる。
【００４６】
前記床ユニット１１は通常の家庭用のベッド装置のベッド本体１を利用して設置することができる。そのため、上半身を起こした状態で保持するために、病院用のベッド装置を用いる場合に比べて安価である。
【００４７】
しかも、前記床ユニット１１の前記マットレス６が載置される前記床部材２１は、一端を支点として他端側が上昇する方向に回動させられるため、前記床ユニット１１に載置される前記マットレス６を折り曲げることなく、利用することができる。
【００４８】
つまり、通常、家庭で用いられている、マットレス６は折り曲げ不能なスプリング構造が主流であるが、そのようなマットレス６であっても有効に利用することができるという利点もある。
【００４９】
前記保持手段３１の前記連結リンク３７の一端と、前記床部材２１の前記側板２２とを連結した前記連結軸４４に前記コイルばね４５が装着されている。  
そのため、前記床部材２１を上昇方向に回動させるとき、前記コイルばね４５の復元力が作用するから、前記床部材２１を軽い力で上昇させることができる。また、上昇させた前記床部材２１を下降方向に回動させるとき、前記コイルばね４５の復元力に抗して圧縮されるから、前記床部材２１を緩やかに倒伏させることができる。
【００５０】
しかも、前記床部材２１を所定の角度に上昇させ、その位置で前記床部材２１を前記保持手段３１によって倒伏不能に保持する構成である。そのため、従来の家庭用のベッド装置において、利用者の背面にクッションを挟み込んで上半身を高く維持する場合に比べ、利用者の上半身を安定した状態で確実に、所定の角度で保持することが可能となる。
【００５１】
なお、上述した実施の形態では保持手段３１として開口溝３９が形成されたスライドガイド３２にスライダ３４を設け、前記スライドガイド３２に連結リンク３７の一端を挿入し、この一端にスライド軸３８を設けるとともに、前記連結リンク３７の他端を床部材２１に枢着する構成とした。
【００５２】
しかしながら、保持手段としては上述した構成に限定させるものではなく、たとえば床ユニット１１のフレーム部材１２と床部材２１との間にガススプリングを設け、前記床部材２１を所定の回動角度で保持できる構成であってもよい。
【００５３】
また、他の構成としては、前記フレーム部材１２と前記床部材２１のどちらか一方にリンクの一端を枢着し、他方に前記リンクの他端を係合保持する複数の保持部を有する保持部材を床ユニット１１の長手方向に沿って設け、前記リンクの他端を前記保持部に係合させることで、前記床部材２１を所望する上昇角度で保持する構成であってもよい。
【００５４】
また、前記床ユニット１１は、フレーム部材１２の一対の側板１３を前記ベッド本体１の前記側板２の内面に設けられた受け部材４に係合させて、前記ベッド本体１に着脱可能に設けるようにしたが、前記ベッド本体１に対して前記床ユニット２１を着脱可能に連結してもよい。
【００５５】
たとえば、前記ベッド本体１の側板２と、このベッド本体１に載置された前記フレーム部材１２の側板１３との対応する位置に通孔を形成し、これらの通孔に連結手段としてのピンを通すことで、前記ベッド本体１に対して前記床ユニット１１を分解可能に連結するようにしてもよい。
【００５６】
また、前記ピンに代わり、一方の側板に通孔、他方の側板にナットを埋め込み、前記通孔からねじを通し、前記ナットにねじ込んで前記ベッド本体１に対して前記床ユニット１１を分解可能に連結するようにしてもよい。
【図１】
2018198864.tif 000003
【図２】
2018198864.tif 000004
【図３】
2018198864.tif 000005
【図４】
2018198864.tif 000006
【図５】
2018198864.tif 000007
【図６】
2018198864.tif 000008
【図７】
2018198864.tif 000009
【図８】
2018198864.tif 000010
【図９】
2018198864.tif 000011
【図１０】
2018198864.tif 000012
【図１１】
2018198864.tif 000013
【図１２】
2018198864.tif 000014